(57)【要約】【課題】  しゃがみ込むこと無く靴の潰れたかかと部を引き起こすことが可能な靴べらを提供すること。【解決手段】  使用時に正面２ａ側がかかとに当接する靴べら本体２と、靴の内側に潰れた状態の前記靴のかかと部に引っ掛け可能に前記靴べら本体との間に空間を設けて前記靴べら本体の先端が背面２ｂ側に折り返された先端折り返し爪部３とを有している。これによって、潰れたかかと部に先端折り返し爪部３を容易に引っ掛けることができ、確実にかかと部を引き起こすことが可能である。【選択図】      図１
0003206868.tif 000002
【実用新案登録請求の範囲】
【請求項１】
使用時に正面側がかかとに当接する靴べら本体と、
靴の内側に潰れた状態の前記靴のかかと部に引っ掛け可能に前記靴べら本体との間に空間を設けて前記靴べら本体の先端が背面側に折り返された先端折り返し爪部とを有していることを特徴とする靴べら。
【請求項２】
請求項１に記載の靴べらにおいて、
前記先端折り返し爪部の先端形状が、背面視で略Ｕ字状とされていることを特徴とする靴べら。
【請求項３】
請求項１又は２に記載の靴べらにおいて、
前記靴べらの背面側が、凸曲面とされていると共に、前記先端折り返し爪部の内側面が、凸曲面とされていることを特徴とする靴べら。
【考案の詳細な説明】
【技術分野】
【０００１】
本考案は、靴の潰れたかかと部を引き起こし可能な靴べらに関する。
【背景技術】
【０００２】
一般に、靴を履く際に、スムーズにかかとが靴内に入るように靴べらが用いられる。従来、より靴を履きやすくするために、種々の靴べらが提案されている。例えば、特許文献１に記載されているように、靴べら本体をかかとに合わせて湾曲させると共に、その裏面先端部に突起部、突条部等の摩擦手段を設けた靴べらが提案されている。この靴べらでは、摩擦手段の突起部や突条部によって靴のかかと部との適正位置の保持を容易にし、靴べら使用時に安定を保持するものである。
【先行技術文献】
【特許文献】
【０００３】
【特許文献１】特開２０００−１５３号公報
【考案の概要】
【考案が解決しようとする課題】
【０００４】
上記従来の技術には、以下の課題が残されている。
従来、図５に示すように、靴１０のかかと部１０ａが潰れた状態で靴１０を履く際、図６に示すように、従来の靴べら１００を使用してもかかと部１０ａを起こすことができず、指をかかと部１０ａに掛けて引き起こさなければならないという問題があった。また、この際、指でかかと部１０ａを引き起こすため、しゃがみ込む必要があり、身体の負担も大きくなってしまう。さらに、上記特許文献１の靴べらの場合、突起部や突条部の摩擦手段を靴べらの先端部に設けているが、単なる突起部や突条部では、潰れたかかと部を引き起こすことはできなかった。
【０００５】
本考案は、前述の課題に鑑みてなされたもので、しゃがみ込むこと無く靴の潰れたかかと部を引き起こすことが可能な靴べらを提供することを目的とする。
【課題を解決するための手段】
【０００６】
本考案は、前記課題を解決するために以下の構成を採用した。すなわち、第１の考案に係る靴べらは、使用時に正面側がかかとに当接する靴べら本体と、靴の内側に潰れた状態の前記靴のかかと部に引っ掛け可能に前記靴べら本体との間に空間を設けて前記靴べら本体の先端が背面側に折り返された先端折り返し爪部とを有していることを特徴とする。
【０００７】
この靴べらでは、靴の内側に潰れた状態の靴のかかと部に引っ掛け可能に靴べら本体との間に空間を設けて靴べら本体の先端が背面側に折り返された先端折り返し爪部を有しているので、潰れたかかと部に先端折り返し爪部を容易に引っ掛けることができ、確実にかかと部を引き起こすことが可能である。したがって、しゃがみ込んで潰れたかかと部を引き起こす必要が無いと共に、先端折り返し爪部でかかと部を引き起こした後、そのまま靴べら本体に沿って足のかかとを靴内に入れることができ、同時に靴べらとして機能する。
【０００８】
第２の考案に係る靴べらは、第１の考案において、前記先端折り返し爪部の先端形状が、背面視で略Ｕ字状とされていることを特徴とする。
すなわち、この靴べらでは、先端折り返し爪部の先端形状が、背面視で略Ｕ字状とされているので、先端折り返し爪部の先端を潰れたかかと部に引っ掛け易いと共に、緩やかにカーブする先端形状であるため、かかと部を傷つけ難い。
【０００９】
第３の考案に係る靴べらは、第１又は第２の考案において、前記靴べらの背面側が凸曲面とされていると共に、前記先端折り返し爪部の内側面が、凸曲面とされていることを特徴とする。
すなわち、この靴べらでは、靴べらの背面側が凸曲面とされ、先端折り返し爪部の内側面が、凸曲面とされているので、先端折り返し爪部の内側面と靴べら本体の背面との凸面同士の間でかかと部を挟んだ状態となり、引っ掛けたかかと部を保持し易くなり、確実に引き起こすことができる。
【考案の効果】
【００１０】
本考案によれば、以下の効果を奏する。
すなわち、本考案に係る靴べらによれば、靴の内側に潰れた状態の靴のかかと部に引っ掛け可能に靴べら本体との間に空間を設けて靴べら本体の先端が背面側に折り返された先端折り返し爪部を有しているので、潰れたかかと部に先端折り返し爪部を容易に引っ掛けることができ、確実にかかと部を引き起こすことが可能である。したがって、しゃがみ込んで潰れたかかと部を引き起こす必要が無いと共に、かかと部の引き起こしと同時に靴べらとして機能させることができ、靴を履く際の身体の負担を小さくすることができる。
【図面の簡単な説明】
【００１１】
【図１】本考案に係る一実施形態の靴べらを示す正面図（ａ）、背面図（ｂ）及び側面図（ｃ）である。
【図２】本実施形態において、靴べらの先端折り返し部を示す拡大した要部の背面図である。
【図３】本実施形態の靴べらを用いて潰れたかかと部を引き起こす方法を説明するための断面図である。
【図４】本実施形態において、かかと部を引き起こした状態で靴べらを用いて靴を履いた状態を示す断面図である。
【図５】かかと部が潰れた状態を示す靴を示す斜視図である。
【図６】かかと部が潰れた靴を従来の靴べらを用いて履こうとする状態を示す斜視図である。
【考案を実施するための形態】
【００１２】
以下、本考案に係る靴べらの一実施形態を、図１から図５を参照しながら説明する。
【００１３】
本実施形態の靴べら１は、図１及び図２に示すように、使用時に正面２ａ側がかかとＫに当接する靴べら本体２と、靴１０の内側に潰れた状態の靴１０のかかと部１０ａに引っ掛け可能に靴べら本体２との間に空間Ｓを設けて靴べら本体２の先端が背面２ｂ側に折り返された先端折り返し爪部３とを有している。
【００１４】
上記先端折り返し爪部３の先端形状は、図１の（ｂ）及び図２に示すように、背面視で略Ｕ字状とされている。
上記靴べら１の背面２ｂ側は、凸曲面とされていると共に、上記先端折り返し爪部３の内側面は、凸曲面とされている。
【００１５】
上記靴べら本体２の正面２ａは、かかとＫをスムーズにガイド可能にするため、かかとＫの形状に応じて凹曲面とされている。すなわち、靴べら本体２は、長さ方向に直交する断面が、背面２ｂ側を凸側とし、正面２ａ側を凹側とした円弧状になっている。したがって、靴べら本体２の先端部を凸曲面の背面２ｂ側に折り返した先端折り返し爪部３の内側面は、凸曲面となる。
【００１６】
上記靴べら本体２は、先端側が基端側よりも幅広に形成されていると共に、基端部に円柱形状の握り部４を有している。すなわち、握り部４から先端に向かって幅が漸次広くなっている。
【００１７】
本実施形態の靴べら１を用いて靴１０を履く際、図５に示すように、靴１０のかかと部１０ａが潰れている場合、握り部４を持って、まず図３に示すように、靴１０内に靴べら１の先端を差し込むと共に、先端折り返し爪部３に潰れたかかと部１０ａの縁を引っ掛ける。さらに、その状態で靴べら１を上方に引くことで、かかと部１０ａを引き起こす。このように、かかと部１０ａを引き起こすと、かかと部１０ａの弾性によって自然と先端折り返し爪部３からかかと部１０ａが外れる。
【００１８】
この状態で靴べら１を靴１０内から引き抜かず、先端を靴１０の底近くまで差し入れると共に、次に、足のかかとＫを靴べら１の正面２ａに沿わせて靴１０内に足を入れることで、靴１０をスムーズに履くことができる。
【００１９】
このように本実施形態の靴べら１では、靴１０の内側に潰れた状態の靴１０のかかと部１０ａに引っ掛け可能に靴べら本体２との間に空間Ｓを設けて靴べら本体２の先端が背面２ｂ側に折り返された先端折り返し爪部３を有しているので、潰れたかかと部１０ａに先端折り返し爪部３を容易に引っ掛けることができ、確実にかかと部１０ａを引き起こすことが可能である。したがって、しゃがみ込んで潰れたかかと部１０ａを引き起こす必要が無いと共に、先端折り返し爪部３でかかと部１０ａを引き起こした後、そのまま靴べら本体２に沿って足のかかとＫを靴１０内に入れることができ、同時に靴べらとして機能する。
【００２０】
また、先端折り返し爪部３の先端形状が、背面視で略Ｕ字状とされているので、先端折り返し爪部３の先端を潰れたかかと部１０ａに引っ掛け易いと共に、緩やかにカーブする先端形状であるため、かかと部１０ａを傷つけ難い。
さらに、靴べら１の背面２ｂ側が凸曲面とされていると共に、先端折り返し爪部３の内側面が、凸曲面とされているので、先端折り返し爪部３の内側面と靴べら本体２の背面２ｂとの凸面同士の間でかかと部１０ａを挟んだ状態となり、引っ掛けたかかと部１０ａを保持し易くなり、確実に引き起こすことができる。
【００２１】
なお、本考案の技術範囲は上記実施形態に限定されるものではなく、本考案の趣旨を逸脱しない範囲において種々の変更を加えることが可能である。
【符号の説明】
【００２２】
１，１００…靴べら、２…靴べら本体、２ａ…靴べら本体の正面、２ｂ…靴べら本体の背面、３…先端折り返し爪部、１０…靴、１０ａ…かかと部、Ｋ…かかと、Ｓ…先端折り返し爪部と靴べら本体との間の空間
【図１】
0003206868.tif 000003
【図２】
0003206868.tif 000004
【図３】
0003206868.tif 000005
【図４】
0003206868.tif 000006
【図５】
0003206868.tif 000007
【図６】
0003206868.tif 000008